(57)【要約】【課題】従来のネジ止めと同じ単純な操作で、一旦締結した後は、解除ができない封緘用ネジ部材をを提供する。【解決手段】第１ネジ部１１の一端側に頭部１２を他端側に第１接合部１３を有する第１部材１０と、第２ネジ部２１の一端側に第２接合部２２を有する第２部材２０とで形成すると共に、前記第１接合部１３と前記第２接合部２２との係合面を、第１ネジ部１１及び第２ネジ部２１の締結方向には係合して回転するが、逆方向には空転するような切歯状に形成し、更に、前記第１接合部１３の軸芯部分に設けた嵌合筒状体１３ｃを、前記第２接合部２２の軸芯部分にもうけた嵌合孔２２ｃに嵌入接合して、前記第１部材１０と前記第２部材２０とを一体化して形成する。【選択図】　図１
2004044696.tif 000002
【特許請求の範囲】
【請求項１】
第１ネジ部の一端側に頭部を他端側に第１接合部を有する第１部材と、第２ネジ部の一端側に第２接合部を有する第２部材とからなる封緘用ネジ部材であって、前記第１接合部と前記第２接合部との係合面を、第１ネジ部及び第２ネジ部の締結方向には係合して回転するが、逆方向には空転するような切歯状に形成すると共に、前記第１接合部の軸芯部分に設けた嵌合筒状体を、前記第２接合部の軸芯部分に設けた嵌合孔に嵌入接合して、前記第１部材と前記第２部材とを一体化して形成した封緘具。
【請求項２】
前記頭部を、マイナス形状又はプラス形状のドライバーの先端が第１ネジ部及び第２ネジ部の締結方向には係合して回転するが、逆方向には滑って空転するような切歯状に形成した請求項１に記載の封緘用ネジ部材。
【発明の詳細な説明】
【０００１】
【発明の属する技術分野】
本発明は、例えば、パチンコ機等の遊戯装置の心臓部ともいうべき電子回路の基板が収納されている主基板樹脂ケース等の封緘用ネジ部材に関するものである。
【０００２】
【従来の技術】
パチンコ機等の遊戯装置、特に回胴式遊戯装置は電子回路を内蔵した電動式の高度な電子装置であり、この電子回路の主基板は主基盤樹脂ケース内に収容され、箱体（外ケース）と主基板樹脂ケースとの間を、一旦締結したならば一部分を破壊しないと封緘を解除できないような特殊な封緘具を使用した封緘機構（セーフティーロック機構）で封緘している。
【０００３】
これらの封緘機構では、封緘状態が破られたか否かが重要であり、封緘したら、封緘具自体又は封緘部分の周辺を破壊しないと、封緘を解除できないようにしている。この封緘具としては、より簡単な操作で部材を締結でき、解除操作を行った場合には、解除の痕跡が残るようにする必要がある。
【０００４】
また、一方で、ロック機構として、締結可能であるが、一旦締結したら解除できないようにする必要がある場合も多い。例えば、悪戯や悪意でロックを外されると困る部分や、ユーザーが分解し、内部を触ると壊れ易い部分や、高電圧部分等の危険な部分等はロックや組み付けた後は分解できないようにすることが必要とされる。
【０００５】
そして、この解除できないロック機構は、封緘を行う場合にも利用できる。つまり、封緘するための蓋に切断や破壊可能な解除部を介して封緘部を設け、この封緘部で固定枠等の固定部に解除できないロックを行い、解除する場合には、この解除部を切断や破壊することにより、封緘を解除する。従って、封緘が解除されたか否かはこの解除部やロックした部分の周辺が正常か破壊されているかで確認できる。
【０００６】
更に、遊戯装置の封緘機構等のように封緘とその解除が繰り返し必要な場合には、この解除部とこの解除部を介した封緘部を必要な数だけ用意し、これらを一回の封緘−解除で１箇所づつ使用することで解決できる。
【０００７】
【発明が解決しようとする課題】
しかしながら、従来技術の封緘具や解除不能なロック用具の多くは特別な形状をしており、また、用途も限られていることから、高価なものとなり易く、また、封緘及びロック操作も単純なネジ止め操作とは異なったり、ネジ止め操作に別の操作が加わったりするものが多いので、多数の封緘やロックを行う場合には工数の増加となる。
【０００８】
本発明はこのような問題点を解決するためになされたものであって、その目的は、従来のネジ止めと同じ単純な操作で、一旦締結した後は、解除ができない封緘用ネジ部材をを提供することにある。
【０００９】
【課題を解決するための手段】
前記目的を達成するための本発明の封緘用ネジ部材は、第１ネジ部の一端側に頭部を他端側に第１接合部を有する第１部材と、第２ネジ部の一端側に第２接合部を有する第２部材とからなる封緘用ネジ部材であって、前記第１接合部と前記第２接合部との係合面を、第１ネジ部及び第２ネジ部の締結方向には係合して回転するが、逆方向には空転するような切歯状に形成すると共に、前記第１接合部の軸芯部分に設けた嵌合筒状体を、前記第２接合部の軸芯部分に設けた嵌合孔に嵌入接合して、前記第１部材と前記第２部材とを一体化して形成される。
【００１０】
この第１ネジ部と第２ネジ部の締結方向は同じに形成される。つまり、第１ネジ部が右ネジであれば第２ネジ部は右ネジに、第１ネジ部が左ネジであれば第２ネジ部は左ネジに形成する。
【００１１】
また、嵌合筒状体と嵌合孔との嵌入接合は、圧入や糊着や詰め物やバリなどの突出物等による固定や接合を含み、これらにより、嵌合筒状体を嵌合孔に固定できて、取付作業時等に第１部材と第２部材を一体物として取り扱うことができるものであればよい。なお、取付作業直前まで、第１部材と第２部材を分離しておき、取付作業時に一体化する場合も含む。
【００１２】
この構成によれば、締結時には第１部材の頭部を締結方向に回転すると、第１接合部と第２接合部とが切歯で係合して回転するので締結できるが、頭部を逆回転して解除方向に回転させると、第１接合部と第２接合部が滑って空転するので、締結を解除、即ち、緩めることができない。
【００１３】
そして，嵌合筒状体を嵌合孔に嵌入接合しているので、第１部材と第２部材を同芯で接合できるので、第１接合部と第２接合部の接合も回転力を効率よく伝達できるようになり、また、一体物として取り扱うことができるようになる。
【００１４】
更に、前記頭部を、マイナス形状又はプラス形状のドライバーの先端が第１ネジ部及び第２ネジ部の締結方向には係合して回転するが、逆方向には滑って空転するような切歯状に形成することにより、更に確実に締結可能で、解除不可能にすることができる。また、一見して、解除不可能なネジ部材であることが分かる。
【００１５】
【発明の実施の形態】
以下図面に基づき本発明による封緘用ネジ部材の実施の形態について説明する。
【００１６】
図１〜図３に示すように、この封緘用ネジ部材１は、第１ネジ部１１の一端側に頭部１２を他端側に第１接合部１３を有する第１部材１０と、第２ネジ部２１の一端側に第２接合部２２を有する第２部材２０とから形成される。この第１ネジ部１１と第２ネジ部２１は同じ締結方向で形成される。つまり、第１ネジ部１１が右ネジであれば第２ネジ部２１も右ネジで、第１ネジ部１１が左ネジであれば第２ネジ部２２も左ネジに形成される。
【００１７】
そして、図２に示すように、第１部材１０の頭部１２は、マイナス（−）形状又はプラス（＋）形状のドライバーの先端が第１ネジ部１１の締結方向には係合して回転するが、逆方向には滑って空転するような切歯状に形成する。つまり、ドライバーの先端を締結方向に回転した時に当接する頭部１２の係合面１２ａは、第１ネジ部１１の軸芯と平行な面内に設けられ、ドライバーの先端を締結方向と逆方向に回転した時に当接する頭部１２の滑動面１２ｂは、この係合面１２ａに対して傾斜したなだらかな凹面又は平面で形成される。
【００１８】
この係合面１２ａと滑動面１２ｂの形状は特に限定されないが、係合面１２ａは、ドライバーの先端を締結方向に回転した時に、この回転力を効率よく第１部材１０に伝達可能となるように形成され、また、滑動面１２ｂはドライバーの先端を締結方向と逆方向に回転した時に、滑って回転力が伝達されないように形成される。
【００１９】
また、図２及び図３に示すように、第１接合部１３と第２接合部２２は、切歯状（のこ歯状）に形成され、締結方向に回転した時に係合する係合面１３ａ，２２ａと、ネジを緩める方向に回転した時に当接する滑動面１３ｂ，２２ｂとで形成される。
【００２０】
この係合面１３ａ，２２ａは第１ネジ部１１と第２ネジ部２１の軸芯を含む面内に設けられ、滑動面１３ｂ，２２ｂはこの係合面１３ａ，２２ａに対して傾斜した平面又はなだらかな凸面と凹面で形成される。
【００２１】
これらの係合面１３ａ，２２ａと滑動面１３ｂ，２２ｂの形状は特に限定されないが、係合面１３ａ，２２ａは、第１接合部１３が締結方向に回転した時に、この回転力を効率よく第２接合部２２に伝達可能となるように形成され、また、滑動面１３ｂ，２２ｂは第１接合部１３が締結方向と逆方向に回転した時に、滑って回転力が伝達されないように形成される。
【００２２】
そして、第１接合部１３の軸芯部分に嵌合筒状体１３ｃを設けると共に、第２接合部２２の軸芯部分に嵌合筒状体１３ｃが嵌入可能な嵌合孔２２ｃを設ける。この構成により、嵌合筒状体１３ｃを嵌合孔２２ｃに嵌入するだけで、第１部材１０と第２部材２０が同芯になるように嵌合でき、保管や移動では一体物として取扱うことができるようになる。なお、この嵌合筒状体１３ｃには三角形状のキー溝１３ｄを設けられ、一方の嵌合孔２２ｃにもキー２２ｄを設け、嵌入時の回転方向の位置決めに使用する。なお、この嵌合孔２２ｃとキー２２ｄは、回転力が加わった時に弾性変形又は破壊されて、回転力を伝達できない程度の大きさや長さで形成される。
【００２３】
この封緘用ネジ部材１は、金属以外にも、ナイロンやポリプロピレンやポリエチレンやＰＰＳ（ポリフェニレンスルィド）等の合成樹脂や、これらの合成樹脂にガラス繊維を混入して剛性を高めた材料等で形成することができ、また、第１部材１０と第２部材２０の材料を異ならせて形成することもできる。
【００２４】
そして、この寸法は特に限定されないが、小型のものでは、例えば、頭部１２の外径が７ｍｍφで高さ２．８ｍｍ、ネジ部の外径が３．４ｍｍφ、第１部材１０の長さが６．３ｍｍ、第２部材２０の長さが１６．５ｍｍである。
【００２５】
そして、図４に、この封緘用ネジ部材１を使用した例を示す。この封緘用ネジ部材１を第１接合部材２と第２接合部材３のネジ孔に挿入して、封緘用ネジ部材１を締結方向に回転することにより、封緘用ネジ部材１を第１接合部材２と第２接合部材３にネジ止めし、図４に示すような状態で締結を完了する。
【００２６】
この状態で、締結を解除しようとして、頭部１２にドライバーの先端を当てて緩める方向（締結方向と逆方向）に回転しようとすると、ドライバーの先端が、頭部１２の滑動面１２ｂに当接して滑り、頭部１２を回転することができないので、解除できない。
【００２７】
更に、何らかの手段で強引に頭部１２を緩める方向に回転したとしても、第１接合部１３は第２接合部２２の滑動面２２ｂに当接して滑り、また、嵌合筒状体１３ｃも嵌合孔２２ｃで滑るため、第１接合部１３の回転力は第２接合部２２に伝達されないので、第２部材２０を回転できず、第１接合部材２と第２接合部材３の第２部材２０による締結を解除できない。
【００２８】
従って、通常のネジ部材をネジ込むのと同様な操作で解除できない締結を容易に行うことができる。なお、ネジ部材を被締結材よりも強靱に形成しておくことにより、被締結材にネジ孔を設けずに貫通孔を設けてこの貫通孔をネジ切しながらネジ止めすることができる。
【００２９】
そして、封緘と解除を繰り返すような場合には、図４に示すように、第２接合部材３に切断部３ａを設け、この切断部３ａを切断することにより、封緘を解除する。そして、隣に設けた第１接合部材２と第２接合部材３を本発明の封緘用ネジ部材１で封緘する。これを繰り返すことにより封緘と解除を繰り返すことができる。なお、この場合は、切断部３ａの状態により封緘を解除したか否かを確認できる。
【００３０】
【発明の効果】
以上の説明から明らかなように、本発明に係る封緘用ネジ部材によれば、頭部を有する第１部材とネジ部の第２部材とが、切歯状の接合部で接合し、締結及び挿入方向のみに回転可能であるため、ネジ部材を挿入した締結は可能であるが、ネジ部材を抜き出す解除は不可能となる。従って、ネジ部材をネジ止めする操作により、解除不能な締結を簡単に行うことができる。
【図面の簡単な説明】
【図１】本発明に係る実施の形態の封緘用ネジ部材の図で、（ａ）は正面図で、（ｂ）は側面図である。
【図２】図１の封緘用ネジ部材の第１部材の図で、（ａ）は正面図で、（ｂ）は側面図で、（ｃ）は平面図で、（ｄ）は底面図である。
【図３】図１の封緘用ネジ部材の第２部材の図で、（ａ）は正面図で、（ｂ）は側面図で、（ｃ）は平面図で、（ｄ）は底面図である。
【図４】図１の封緘用ネジ部材による締結の例を示す断面図である。
【符号の説明】
１　　封緘用ネジ部材
１０　　第１部材
１１　　第１ネジ部
１２　　頭部
１３　　第１接合部
１３ｃ　嵌合筒状体
２０　　第２部材
２１　　第２ネジ部
２２　　第２接合部
２２ｃ　嵌合孔
【図１】
2004044696.tif 000003
【図２】
2004044696.tif 000004
【図３】
2004044696.tif 000005
【図４】
2004044696.tif 000006